(57)【要約】      （修正有）【課題】構成が簡単でパーツが生産されやすく、ハンドルを前下方へ押して爪列体を前転させて砂を掘出し、貝を簡単に掘り出すことができる海浜用蛤堀り道具を提供する。【解決手段】海浜用蛤堀り道具は、立体爪列１、５、両ネジボルト２、軸受３及びメインロッド４からなる。メインロッドは、上端がハンドルで、中間が直径の大きさが異なる２つの部分の収縮可能な中空管からなり、使用者の身長に応じて長さを選択して、ネジでロックでき、下端は軸受を取り付けるための、軸受と中間嵌め又は締まり嵌めする孔である。軸受の内側リングが両ネジボルトの中間の円柱部分と締まり嵌めし、両ネジボルトのネジは、一端が左ネジで他端が右ネジである。立体爪列の中間は雌ネジ付き円柱であり、円柱に５列の爪が均等に分布し、すべての爪は円弧状に曲げられる。２つの立体爪列は、両ネジボルトに接続される。【選択図】図１
0003219635.tif 000002
【実用新案登録請求の範囲】
【請求項１】
蛤堀り装置であって、
立体爪列（１，５）、両ネジボルト（２）、軸受（３）及びメインロッド（４）を備え、軸受（３）の外側リングがメインロッド（４）に取り付けられ、両ネジボルト（２）は軸受（３）の内側リングに取り付けられ、立体爪列（１，５）はそれぞれ両ネジボルトに螺入されてロックされることを特徴とする蛤堀り装置。
【請求項２】
前記メインロッド（４）の上端が押したり引いたりしやすいハンドル状に設けられ、メインロッドの本体は直径の大きさが異なる２つの部分の中空管からなり、使用者の身長に応じて自在に収縮して、ネジでロックされ、
該メインロッドの下端は孔構造になって、軸受（３）を取り付けることに用いられ、かつ軸受と中間嵌めすることを特徴とする請求項１に記載の蛤堀り装置。
【請求項３】
前記両ネジボルト（２）の中間における円柱部分と軸受（３）の内側リングが締まり嵌めし、
両ネジボルト（２）の右側及びそれと嵌合する立体爪列（５）は右ネジ、両ネジボルト（２）の左側及びそれと嵌合する立体爪列（１）が左ネジであることを特徴とする請求項１に記載の蛤堀り装置。
【請求項４】
立体爪列（１，５）の本体は、雌ネジ付貫通孔を有する円柱であり、円柱において５列の爪が均等に分布しており、各列には爪の数が５個であり、爪の間隔が約２５ｍｍであり、各立体爪列の全長が１００ｍｍであり、すべての爪が円弧状に曲げられ、使用時に該蛤堀り装置のハンドルを前下方へ押して、立体爪列を連動し、前転させて砂を掘出し、
限界位置では、押し力（Ｆ）がメインロッドの方向と同じであり、爪列に伝達され、一方の分力により爪列が砂に挿入され、他方の分力により爪列が連動されて前転することにより、砂浜に隠された貝類を掘出すことを特徴とする請求項１に記載の蛤堀り装置。
【考案の詳細な説明】
【技術分野】
【０００１】
本考案は、漁業用具に関し、具体的には、蛤堀り装置に関する。
【背景技術】
【０００２】
自然な水産養殖と持続可能な海洋開発の発展に伴い、貝類や蛤類の養殖業が急速に発展している。これらの海洋生物は通常、約深さ１００ｍｍの砂の中に隠されて、従来のシャベルやスコップなどを砂に挿入すると、砂における蛤類やカニなどの動物に大きな傷害を与えるとともに、小さな貝類や蛤類を砂とともに掘出し、作業負荷が大きく且つ効率が極めて低い。レーキ又はスチールフォークであれば、透かし彫り構造を利用して砂を自動的に落として、大きな蛤や貝を分離できるが、反転動作を連続して行うことができず、長時間頭を下げ腰を曲げて苦労しても、小さな範囲でしか探せないため、効率が低い。
【０００３】
さらに、観光産業の発展に伴い海浜へ行く観光客が多くなり、観光客は風景を楽しむ以外、海浜に住んでいる人々のように砂浜で蛤や貝殻を探したいが、従来のシャベル、フォーク類やレーキ類が短くて、携帯性に優れる反面、使用時にしゃがみこんで頭を下げ、腰を曲げる必要があり、あるいは、レバー部が長くて、一般的にトランクへの収納が困難である。
【考案の概要】
【０００４】
本考案は、上記従来技術に記載の少なくとも１種の欠陥を克服するために、蛤堀り装置を提供し、立体爪列、両ネジボルト、軸受及びメインロッドを備える。前記メインロッドは、上端がハンドルで、中間が直径の大きさが異なる２つの部分の収縮可能な中空管からなり、使用者の身長に応じて長さを選択して、ネジでロックすることができ、下端は軸受を取り付けるため、かつ軸受と中間嵌め又は締まり嵌めする孔であり、該軸受の内側リングが両ネジボルトの中間における円柱部分と締まり嵌めし、両ネジボルトのネジは一端が左ネジで他端が右ネジである。両ネジボルトは立体爪列に接続され、対応して一方が左ネジで他方が右ネジであり、該立体爪列の中間が雌ネジ付円柱であり、円柱において５列の爪が均等に分布しており、あらゆる爪は円弧状に曲げられる。２つの立体爪列のネジ穴は、両ネジボルトに接続され、対応して一方が左ネジで他方が右ネジである。本考案は、構成が簡単で、パーツが生産されやすく、使用時に該蛤堀り装置のハンドルを前下方へ押して、爪列体を連動して前転させて砂を掘出し、砂浜に隠された貝を掘出す。使用しないときに、メインロッドを引き込むことができ、携帯も収納も容易である。
【考案の効果】
【０００５】
従来技術に比べて、本考案の有益な効果は以下のとおりである。
本考案は、構成が簡単で、低コストで、使用しやすく、使用時にしゃがみこんで頭を下げ、腰を曲げる必要がなく、歩くとともにメインロッドのハンドルを押して、押し力をメインロッドに沿って下へ伝達し、一部の分力が砂に作用して、別の一部の分力が立体爪列を連動して前転させることによって、砂を自動的に落として反転させ、砂や小さな砂浜動物などを隙間から自動的に落として、大きな貝類や蛤類を連続して自動的に掘出し、このように大範囲で探すことができ、時間と労力を節約する。
【図面の簡単な説明】
【０００６】
【図１】本考案の蛤堀り道具の分解構造模式図である。
【図２】本考案の蛤堀り道具の組立構造模式図である。
【図３】本考案の蛤堀り道具の受力分析についての構造模式図である。
【図４】本考案の蛤堀り道具の使用時の模式図である。
【考案を実施するための形態】
【０００７】
以下、実施形態を参照しながら本考案についてさらに説明する。ここで、図面は例示的な説明に過ぎず、実物図ではなく、模式図だけを示しており、本特許を制限するものではない。本考案の実施例をよりよく説明するために、図面中、一部の部材を省略したり、拡大又は縮小したりすることがあり、製品の実際な寸法ではなく、当業者であれば、図面中の一部の周知構造及びその説明を省略できることが理解できる。
【０００８】
本考案の実施例における図面には、同一又は類似した符号は同一又は類似した部材に対応し、本考案の説明において、なお、用語「上」、「下」、「左」、「右」などにより指示された方位又は位置関係が、図面に示される方位又は位置関係に基づく場合、本考案の説明し易さと説明の簡素化のために過ぎず、示される装置又は素子には必ず特定の方位を有したり、特定の方位で組み合わせて操作したりすることを指示又は示唆するとは限らないため、図面には、位置関係を説明する用語は例示的に説明するために過ぎず、本特許を制限するものではなく、当業者であれば、具体的な場合によって上記用語の意味を理解できる。
【０００９】
実施例
【００１０】
蛤堀り装置であって、立体爪列（１，５）、両ネジボルト（２）、軸受（３）及びメインロッド（４）を備え、該メインロッドは、押したり引いたりしやすいように上端にハンドルが設計されており、中間が直径の大きさが異なる２つの部分の収縮可能な中空管からなり、使用者の身長に応じて長さを選択でき（図３に示されるように、限界位置では、角度θが１０°程度である必要があるため、メインロッドと地面は約３５度の夾角をなし、図４に示されるように、人の身長が１．６ｍである場合を例にすれば、手から地面までの垂直距離が約０．７ｍ、ロッドの長さが０．７／ｓｉｎ３５°＝１．２３ｍであるため、ロッド長さの収縮範囲は０．６〜１．５ｍである。）、誰でも使用でき、長さを調整した後にネジでロックされ、使用しないときに、引き込んで通常の自動車のトランクに収納でき、メインロッドの下端は、軸受を取り付けるため、かつ軸受と中間嵌め又は締まり嵌めする孔である。
【００１１】
該軸受の内側リングは両ネジボルトの中間における円柱部分と締まり嵌めし、両ネジボルトの両端ともにネジがあり、図１と図２に示されるように、ボルトは、左側が立体爪列１にネジ接続されて左ネジを用い、右側が立体爪列５にネジ接続されて右ネジを用い、それぞれ螺入されてロックされる。このように、前転につれてネジが締められていくため、緩んだりすることがない。
【００１２】
本考案における立体爪列は、レーキと土かき機の構造上の長所を組み合わせたものであり、中間が雌ネジ付貫通孔である円柱であり、円柱において５列の爪が均等に分布しており、１列に５個とし、これら爪はレーキのように透かし彫り状態になり、２５ｍｍの間隔を空けて、長さが１００ｍｍであり、２つの立体爪列を取り付けると、全長が約２４０ｍｍになる。爪本体の末端が半球状であることにより、シャベルやスコップなどを砂に挿入すると、砂における蛤類やカニなどの動物に大きな傷害を与えることを避けるとともに、使用者への不注意によるスクラッチを防止し、且つ砂や小さな砂浜動物などを隙間から自動的に落として、大きな貝類や蛤類を掘出し、また、土かき機の構造と類似したとおり、あらゆる爪が円弧状に曲げられる回転構造により、使用されやすく、メインロッドのハンドルを押すと、押し力（Ｆ）がメインロッドに沿って下へ伝達され、一部の分力が砂に作用して、別の一部の分力が立体爪列を連動して前転させ、このように貝類を連続して自動的に掘出し、それによって、作業負荷を効果的に軽減させて、効率を向上させる。大きな砂浜範囲内で軽手に探して掘り出すことができる。
【００１３】
勿論、本考案の上記実施例は本考案を明瞭に説明するための例に過ぎず、本考案の実施形態を限定するものではない。当業者であれば、上記説明に基づいて様々な変化や変更を行うことができる。ここで、実施形態を網羅的に挙げることができないが、その必要もない。本考案の精神と原則を逸脱せずに実施されるすべての修正、同等置換や改良などは本考案の実用新案登録請求の保護範囲に含まれる。
【図１】
0003219635.tif 000003
【図２】
0003219635.tif 000004
【図３】
0003219635.tif 000005
【図４】
0003219635.tif 000006